(57)【要約】【課題】  設計通りのスラブ強度を確保して遮音性、及び蓄熱性・蓄冷性・断熱性を確保し、騒音の低下と省エネルギーに寄与することが出来る構造物の提供。【解決手段】  格子状に配置した鉄筋３１、３２、４１、４２を少なくとも上下或いは前後の一方に配置して、該少なくとも上下或いは前後一方の格子状鉄筋３１、３２、４１、４２の間に格子状に配列された格子状空間２０を形成し、中身が空の状態の容器体１０内にその注入口から蓄熱体等を導入し、該注入口を閉塞した前記容器体１０を前記格子状空間２０に配置した後にコンクリートを打つようにすることを特徴とする構造物を製造する方法。その構造物とその構造物からなる建築物。【選択図】  図１
2006307553.tif 000002
【特許請求の範囲】
【請求項１】
格子状に配置した鉄筋を少なくとも上下或いは前後の一方に配置して、該少なくとも上下或いは前後一方の格子状鉄筋の間に格子状に配列された格子状空間を形成し、中身が空の状態の容器体内にその注入口から蓄熱体を導入し、該注入口を閉塞した前記容器体を前記格子状空間に配置した後にコンクリートを打つようにすることを特徴とする構造物を製造する方法。
【請求項２】
格子状に配置した鉄筋を少なくとも上下或いは前後の一方に配置して、該少なくとも上下或いは前後一方の格子状鉄筋の間に格子状に配列された格子状空間に、蓄熱性或いは蓄冷性又は断熱性のある物質を封入した容器体を複数個配置してコンクリートスラブを構成したことを特徴とする構造物。
【請求項３】
前記容器体は開閉可能な蓋付の容器体であることを特徴とする請求項２記載の構造物。
【請求項４】
前記容器体内に封入した蓄熱性或いは蓄冷性又は断熱性の物質は、前記容器体の内容積の５０％以上９５％以下であることを特徴とする請求項２又は請求項３記載の構造物。
【請求項５】
請求項２、請求項３、請求項４の内の一つの請求項に記載したコンクリートスラブを構成した構造物を壁面、床面或いは天井面の内の少なくとも１つの面に備えたことを特徴とする建築物。
【発明の詳細な説明】
【技術分野】
【０００１】
本発明は、施工性に優れ、かつ高遮音性を発揮し、特に、蓄熱性・蓄冷性・断熱性に優れた構造物、その構造物を製造する方法及びその構造物を備えた建築物に関するものであり、具体的には、容器体をスラブ内に複数個配置した構造物とその製造方法及びそれを備えた建築物に関するものである。
【背景技術】
【０００２】
従来から建築物の高層化や広い居住空間を確保するためにコンクリート床スラブの厚さを増して強度を向上させるとか、軽量化や遮音性を改善するために、スラブ内部に埋設物を埋設する中空スラブ工法が種々実用化されてきた。このようなコンクリートに埋設する埋設物としては板状の金属を螺旋状に形成したワインディングパイプに代表される中空管やキーストンプレートを折り曲げて箱型に形成したものや、耐水ダンボールを箱型に形成したもの、発泡樹脂を立方体や球形に形成したものなどが色々と用いられている。
【０００３】
このような建築物の構造体としての中空コンクリート版を形成する中空スラブ工法については、例えば従来技術として、中空材本体に連結補強筋が簡単、かつ強固に取り付けられる中空材ユニットを提供することを課題として、中空材ユニットは、上部中空材と下部中空材とが嵌合した中空材本体が連結部材で適宜間隔をもって連結され、これら中空材本体の上部中空材と下部中空材との嵌合部にわたって連結補強材が挟み込まれて構成され、上部中空材および／または下部中空材の中空内には対向面にわたって補強部材が形成されているものが開示されている（特許文献１）。
【０００４】
また、本願発明者等よっても、スラブ内に格子状に配筋された上端筋と下端筋によって碁盤目状に仕切られた小空間に軽量体を埋設してなる平面格子中空コンクリートスラブにおいて、軽量体は中実又は中空の軽量球体で、小空間の頂面を通過できるが側面を通過できない直径を有し、上端筋の上から配置した押さえ金物で軽量球体が所定位置に固定された平面格子中空コンクリートスラブが既に開示されている（特許文献２）。
【０００５】
【特許文献１】特開２００４−１３２０４４号公報
【特許文献２】特開２００３−３２１８９４号公報
【発明の開示】
【発明が解決しようとする課題】
【０００６】
この種の従来の構造物は、プラスチックス等の物質からなるボイドと呼ばれる立体を、スラブの中に配置しているものであり、施工の順序としては、現場作業の前の工場における鉄筋やボイド等からなるユニットの組み立て作業が必要であり、そのユニットを工場から現場に運び込み、現場に到着しても高層階まで持ち上げなければならない場合も多く、決して施工が容易ともいえないものであった。
【０００７】
本発明は、従来において、中空スラブ工法に用いられる中空材ユニットの組み立て作業に高度な熟練度を要求されるといった問題や、材料費用や運搬費用、及び管理費用のコストの問題や、保管場所などの問題を解消し、低コストを実現すると共に、通常市販されている容器体を用いることも可能であり成形費用は大幅に削減されるものである。
【０００８】
また、鉄筋等の必要建材とは別に容器体を現場に搬入することも可能で、搬送と材料管理を簡便とし、工法の簡略化により取り付けが簡単で、施工経験を殆ど必要とせず、製作工数も削減することができ、施工費用の低コスト化を実現可能とするものであり、前記施工中に設計変更が発生して容器体設置エリアを削減する場合も特定の容器体のみを簡単に取り外すことを可能とする。
【０００９】
さらに本発明は、設計通りのスラブ強度を確保して遮音性、及び蓄熱性・蓄冷性・断熱性を確保し、騒音の低下と省エネルギーに寄与することが出来る構造物を提供し、壁面施工も床面施工も容易に実現可能とするものである。
【課題を解決するための手段】
【００１０】
本発明の構造物を製造する方法は、格子状に配置した鉄筋を少なくとも上下或いは前後の一方に配置して、該少なくとも上下或いは前後一方の格子状鉄筋の間に格子状に配列された格子状空間を形成し、中身が空の状態の容器体内にその注入口から蓄熱体を導入し、該注入口を閉塞した前記容器体を前記格子状空間に配置した後にコンクリートを打つようにすることを特徴とする。
【００１１】
本発明の構造物は、格子状に配置した鉄筋を少なくとも上下或いは前後の一方に配置して、該少なくとも上下或いは前後一方の格子状鉄筋の間に格子状に配列された格子状空間に、蓄熱性或いは蓄冷性又は断熱性のある物質を封入した容器体を複数個配置してコンクリートスラブを構成したことを特徴とする。
【００１２】
また、本発明の構造物は、前記容器体は開閉可能な蓋付の容器体であることを特徴とする。
【００１３】
さらに、本発明の構造物は、前記容器体内に封入した蓄熱性或いは蓄冷性又は断熱性の物質は、前記容器体の内容積の５０％以上９５％以下であることを特徴とする。
【００１４】
本発明の建築物は、以上のコンクリートスラブを構成した構造物を壁面、床面或いは天井面の内の少なくとも１つの面に備えたことを特徴とする。
【発明の効果】
【００１５】
本発明によれば、従来の中空スラブ工法に用いられる中空材ユニットの組み立て作業に高度な熟練度を要求されるといった問題や、材料費用や運搬費用、及び管理費用のコストの問題や、保管場所などの問題を解消し、低コストを実現すると共に、通常市販されている容器体を用いることも可能であり成形費用は大幅に削減されるものである。また、通常市販されている蓋付きの容器体を用いることにより、予め空の状態で前記格子状空間に配置することも可能となり、格子状空間に配置した後に蓄熱体等を注入して蓋をするなどにより、構造物を製造する手順も作業のし易さを考慮して変更することが出来る。
【００１６】
本発明によれば、格子状空間に蓄熱性或いは蓄冷性又は断熱性のある物質を封入した容器体を複数個配置してコンクリートスラブを構成したことにより、外界との間での高い熱遮蔽効果を奏するものである。
【発明を実施するための最良の形態】
【００１７】
以下、本発明を実施するための最良の形態としての実施例を図によりに説明する。本発明の一実施例として構成されたスラブ構造物Ｓは、平面図（図１）、Ａ−Ａ断面図（図２）及びＢ−Ｂ断面図（図３）として、その詳細な構造が示されている。
【００１８】
図からも明らかなように、スラブ構造物Ｓは、厚みが２００ｍｍであり、夫々格子状に形成された上端筋３１、３２と下端筋４１、４２の間に、複数個の容器体１０、１０、１０・・・が配置されている構成となっている。なお、本願発明における上下関係は、図２に図示した関係における上下であり、当然にスラブ構造物Ｓの配置位置関係により、これは前後にもなり左右にもなる。
【００１９】
これらの上端筋３１、３２及び下端筋４１、４２は、夫々格子状に形成されており、それによって容器体１０を配置させる格子状空間２０、２０、２０・・・（図面中にハッチングで示された空間部分）が形成されている。この格子状空間２０は、そこに配置する容器体１０の大きさに合わせて決められるが、図示した実施例においては１５０×２００×１１４の立方体となるように決められている。もちろん、この形状及び大きさが発明の外延を規制するものではない。
【００２０】
本願発明のスラブ構造物Ｓの製造においては、従来通りに上端筋３１、３２と下端筋４１、４２とを組み合わせて配置させ、形成された格子状空間２０内に適当な充填装置（本願発明においては図示しない）によって、蓄熱性或いは蓄冷性の液体、又は断熱性を有する発泡樹脂や岩綿、木を粉砕したチップなどの物質を５０％以上９５％以下充填した容器体１０を配置させ、その後にコンクリートを打ち込むことによって簡単にスラブ構造物Ｓを施工することが可能なものである。
【００２１】
また、本願発明のスラブ構造物Ｓの別の製造方法においては、従来通りに上端筋３１、３２と下端筋４１、４２とを組み合わせて配置させ、形成された格子状空間２０内に空の容器体１０を配置させ、その容器体１０内に蓄熱性或いは蓄冷性の液体、又は断熱性を有する発泡樹脂や岩綿、木のチップなどの物質を容器体１０の５０％以上９５％以下充填し、その後にコンクリートを打ち込むことによっても簡単にスラブ構造物Ｓを施工することが可能なものである。
【００２２】
図４（ａ）及び（ｂ）に、本願発明の一実施例としての容器体１０の外観形状と寸法を示している。もちろん、これにより本願発明の外延が容器体１０の外観形状と寸法によって規制されることを意味しているものではない。
【００２３】
本願発明の容器体１０は、立方体状の本体１１部分と、それを開閉可能な蓋体１２部分とから構成されており、この種の容器体１０自体は市販されているものでもある。この容器体１０の形状は、立方体状に限るものではなく、円筒状、球状であっても良い。もちろん、円錐形状、角錐形状のものも考えられるが、これらの形状の場合は、スラブ構造物Ｓ内に占める体積の関係で、蓄熱性・蓄冷性・断熱性の効果において多少劣ることになる。
【００２４】
図５は、本願発明の別の実施例の円筒形状の容器体１０をスラブ構造物Ｓ内に安定的に配置させるための構造を示す。図５（ｂ）はその側面図、図５（ａ）はＡ−Ａ断面図、図５（ｃ）はＢ−Ｂ断面図である。
【００２５】
容器体１０をスラブ構造物Ｓ内に安定的に配置・固定させるための容器体配置枠５０の構造は、全体的には図６に示されており、配置背面枠５１、配置底部枠５２及び配置首部枠５３から構成されている。
【００２６】
容器体配置枠５０の配置底部枠５２は、容器体１０の底面を受けて格子状空間２０内に容器体１０を安定的に支持する。また、容器体配置枠５０の配置首部枠５３は、容器体１０の首部を受けて格子状空間２０内に容器体１０を安定的に支持する。配置底部枠５２と配置首部枠５３は、所定距離をおいて配置背面枠５１に溶接等によって固定されている。
【００２７】
容器体配置枠５０に容器体１０を、より確実に安定支持させるために、図示していない把持バンド等を容器体配置枠５０に掛けることも考えられる。また、容器体配置枠５０の図６における左側を下にして配置すれば、重力により容器体１０の底面が配置底部枠５２に安定的に載って配置され、容器体配置枠５０の図６における上側を下にして配置すれば、重力により容器体１０の側面が配置背面枠５１に安定的に載って配置される。
【００２８】
本願発明の容器体１０は、通常はポリエチレン製の容器体１０である。本願発明の二つの実施例における容器体１０は、所定形状を有した立体形状の容器体１０として説明したが、本発明を実現するためには有形状の容器体１０である必要性はない。つまり、容器体１０内に蓄熱性・蓄冷性・断熱性の物質が貯蔵できればいいものであり、風船状の容器体１０であっても本願発明に含まれる。
【００２９】
本願発明を、施工現場において適用して建築物を建築する際には、ボイドを容器体１０で構成し、空の状態の容器体１０を現場まで運び込み、本発明を適用する建築構造物の壁面、床面、天井面等に、格子状に鉄筋（上端筋３１、３２、下端筋４１、４２）を格子状に張り巡らし、容器体１０内に５０％以上９５％以下の蓄熱性・蓄冷性の液体等の流状性を有する物質、又は断熱性を有する発泡樹脂や岩綿、木のチップなどの物質を充填して該容器体１０の蓋体１２を閉め、この容器体１０が定位置に来るように配置固定させ、その後にコンクリートを打つもの、或いは、前記格子状に張り巡らせた鉄筋の定位置に、空の容器体１０を配置固定させ、その後に、容器体１０内に５０％以上９５％以下の蓄熱性・蓄冷性の液体等の流状性を有する物質、又は断熱性を有する物質を充填し、その後に、この容器体１０の蓋体１２を閉めて、コンクリートを打つものである。
【００３０】
そのようにしてコンクリートスラブを構成したスラブ構造物Ｓを、建築物の壁面、床面或いは天井面に備えた建築物は、設計通りのスラブ強度を確保して遮音性及び蓄熱性・蓄冷性・断熱性を確保し、快適な居住空間を得ると共に騒音の低下と省エネルギーに寄与することが出来る。
【図面の簡単な説明】
【００３１】
【図１】本発明の一実施例のスラブ構造物の平面図
【図２】スラブ構造物のＡ−Ａ断面図
【図３】スラブ構造物のＢ−Ｂ断面図
【図４】容器体の外観形状図
【図５】容器体配置枠の詳細構造
【図６】容器体配置枠の全体構造
【符号の説明】
【００３２】
１０          容器体
２０          格子状空間
３１、３２    上端筋
４１、４２    下端筋
５０          容器体配置枠
Ｓ            スラブ構造物
【図１】
2006307553.tif 000003
【図２】
2006307553.tif 000004
【図３】
2006307553.tif 000005
【図４】
2006307553.tif 000006
【図５】
2006307553.tif 000007
【図６】
2006307553.tif 000008